(57)【特許請求の範囲】
【請求項１】
本体（１０）と、
前記本体（１０）に対して少なくとも第１の位置及び第２の位置を占めることができるように前記本体（１０）に可動的に連結された表示パネル（１２）と、
前記本体（１０）に対して少なくとも第１の位置及び第２の位置を占めることができるように前記本体（１０）に可動的に連結された入力パネル（１４）と
を含み、
前記表示パネル（１２）がその第１の位置を占め、前記入力パネル（１４）がその第１の位置を占めるときに、前記入力パネル（１４）が前記表示パネル（１２）の一部を隠し、
前記表示パネル（１２）がその第１の位置を占め、前記入力パネル（１４）がその第２の位置を占めるときに、前記表示パネル（１２）が前記入力パネル（１４）の少なくとも一部を隠し、
前記表示パネル（１２）がその第２の位置を占めるときに、前記入力パネル（１４）が、その第１の位置からその第２の位置へ移動可能な状態、及びその第２の位置からその第１の位置へ移動可能な状態の少なくとも一方である
ように構成されている電子装置。
【請求項２】
前記表示パネル（１２）がその第１の位置を占め、前記入力パネル（１４）がその第１の位置を占めるときに、前記入力パネル（１４）がその第２の位置へ移動することができず、
前記表示パネル（１２）がその第１の位置を占め、前記入力パネル（１４）がその第２の位置を占めるときに、前記入力パネル（１４）がその第１の位置へ移動することができない
ようにさらに構成されている請求項１に記載の装置。
【請求項３】
前記本体（１０）が、縦軸、前記縦軸に対して垂直な横軸、及び前記縦軸と前記横軸両方に対して垂直な垂直軸を定義し、
前記表示パネル（１２）が前記縦軸及び前記横軸の面内に表示部又は画面を含み、
前記表示パネル（１２）が前記縦軸に沿って摺動可能である
ようにさらに構成されている請求項１又は２に記載の装置。
【請求項４】
前記表示パネル（１２）がその第２の位置を占めるときに、前記入力パネル（１４）が前記垂直軸に沿って摺動可能であるようにさらに構成されている請求項３に記載の装置。
【請求項５】
前記入力パネル（１４）がその第２の位置を占めるときに前記表示パネル（１２）がその第１の位置からその第２の位置へ移動することが、前記入力パネル（１４）のその第１の位置への移動を引き起こすようにさらに構成されている請求項１〜４のいずれか１項に記載の装置。
【請求項６】
前記入力パネル（１４）がその第１の位置を占めるときに前記表示パネル（１２）がその第１の位置からその第２の位置へ移動することが、前記入力パネル（１４）のその第２の位置への移動を引き起こすようにさらに構成されている請求項１〜５のいずれか１項に記載の装置。
【請求項７】
前記入力パネル（１４）を、
その第１の位置からその第２の位置へと、
その第２の位置からその第１の位置へ
の少なくとも一方に移動するためのモータ駆動機構を含む請求項１〜６のいずれか１項に記載の装置。
【請求項８】
前記モータ駆動機構が、モータによって生じる回転運動を前記入力パネル（１４）の直線運動へと変換するためのラック・アンド・ピニオン機構を含む請求項７に記載の装置。
【請求項９】
前記入力パネル（１４）を、
その第１の位置からその第２の位置へと、
その第２の位置からその第１の位置へ
の少なくとも一方に移動し、又は前記移動を助長するための１つ又は複数の制御可能な磁石を含む請求項１〜６のいずれか１項に記載の装置。
【請求項１０】
前記入力パネル（１４）を、
その第１の位置からその第２の位置へと、
その第２の位置からその第１の位置へ
の少なくとも一方に移動し、又は前記移動を助長するための１つ又は複数の制御可能な形状記憶合金要素を含む請求項１〜６のいずれか１項に記載の装置。
【請求項１１】
前記表示パネル（１２）がその第２の位置に移動されるときに、まず、前記入力パネル（１４）の前記第１の位置と前記第２の位置との中間の位置への前記入力パネル（１４）の位置の変更が生じるように前記表示パネル（１２）が前記入力パネル（１４）に機械的に結合されている請求項９又は１０に記載の装置。
【請求項１２】
前記入力パネル（１４）がその第１の位置を占めるか、それともその第２の位置を占めるか検出するように構成された１つ又は複数のセンサを含み、
前記１つ又は複数のセンサを使って前記入力パネル（１４）がその第２の位置を占めると判定される間に前記表示パネル（１２）がその第１の位置からその第２の位置へ移動されるときに、前記入力パネル（１４）のその第１の位置への移動が引き起こされ、
前記１つ又は複数のセンサを使って前記入力パネル（１４）がその第１の位置を占めると判定される間に前記表示パネル（１２）がその第１の位置からその第２の位置へ移動されるときに、前記入力パネル（１４）のその第２の位置への移動が引き起こされる
ようにさらに構成されている
請求項１〜１１のいずれか１項に記載の装置。
【請求項１３】
前記表示パネル（１２）が、前記表示パネル（１２）の上又は前記表示パネル（１２）の近傍における指、手又は他の物体の存在を検出するためのタッチセンサ機能を含み、
前記入力パネル（１４）がその第２の位置を占めると判定される間に前記表示パネル（１２）がその第１の位置からその第２の位置へ移動されるときに、前記入力パネル（１４）のその第１の位置への移動が引き起こされ、
前記入力パネル（１４）がその第１の位置を占めると判定される間に前記表示パネル（１２）がその第１の位置からその第２の位置へ移動されるときに、前記入力パネル（１４）のその第２の位置への移動が引き起こされ、
前記表示パネル（１２）の上又は前記表示パネル（１２）の近傍における指、手又は他の物体の存在又は位置を検出するのに使用されるのと同じタッチセンサ機能が、前記入力パネル（１４）がその第１の位置を占めるか、それともその第２の位置を占めるかを判定するのにも使用されるようにさらに構成されている
請求項１〜１２のいずれか１項に記載の装置。
【請求項１４】
携帯電話、ゲームコンソール、携帯情報端末、衛星ナビゲーション受信機、ディジタルカメラ、ラップトップ、ノート型コンピュータ、メディアプレーヤ、メッセージングページャ、コードレス電話機、ビデオ記録装置、モバイル・インターネット・ブラウザ及びスマートフォンのうちの少なくとも１つである請求項１〜１３のいずれか１項に記載の装置。
【発明の詳細な説明】
【技術分野】
【０００１】
本発明は可動部品を有する電子装置に関する。装置は例えばディスプレイとキーパッドとを含む携帯電話などとすることができる。
【背景技術】
【０００２】
電子装置又は電子端末は様々な用途に使用される。例えば、携帯用無線通信端末は、音声通信やデータ通信を送信するためなど、ユーザと基地局との間の電気通信を提供するのに使用される。
【０００３】
そのような電子装置は様々な形状を有する。また、電子装置の特定の形状をその電子装置のフォームファクタともいう。例えば、棒形（「板状」又は「キャンディバー形」ともいう）の電子装置があり、その場合装置はほぼ直方体の形状である。他のフォームファクタには、２つの要素がヒンジによって連結されており、２つの要素の面内の軸に沿って回転することのできる折り畳み式フォームファクタ（「クラムシェル形」ともいう）、２つの要素が、２つの要素に対して垂直な軸を支点として回転することができるスイベル式フォームファクタ、及び２つの要素が相互に対して摺動することができるスライド式フォームファクタが含まれる。
【０００４】
欧州特許出願第１６６７４０８号は、主ハウジングと、キーパッドモジュールを露出させたり、隠したりするために摺動し得るように主ハウジングに結合された摺動ハウジングとを含む携帯用端末に関するものである。摺動ハウジングの摺動運動は、摺動ハウジングの上面と表示装置とキーパッドの間の高さの違いを克服するためにキーパッドモジュールの上下運動に変換される。
【０００５】
欧州特許出願第１６３８２９８号は、上側ハウジングを開くとキー操作部が自動的に上昇し、上側ハウジングを閉じるとキー操作部が自動的に下降して下側ハウジングに格納される移動端末に関するものである。
【先行技術文献】
【特許文献】
【０００６】
【特許文献１】欧州特許出願第１６６７４０８号
【特許文献２】欧州特許出願第１６３８２９８号
【発明の概要】
【発明が解決しようとする課題】
【０００７】
電子装置の使いやすさ及び便利な特徴を、特にその機能へのアクセスのしやすさ及びそのコンパクトさに関して改善することが求められている。
【課題を解決するための手段】
【０００８】
上記の目的、又は少なくともその一部を達成するための本発明による電子装置が独立請求項において定義されている。有利な実施形態が従属請求項において定義されている。
【０００９】
一実施形態において、電子装置は、本体と表示パネルと入力パネルとを含む。表示パネルは、本体に対して少なくとも第１の位置及び第２の位置を占めることができるように本体に可動的に連結されている。入力パネルは、本体に対して少なくとも第１の位置及び第２の位置を占めることができるように本体に可動的に連結されている。装置は、表示パネルがその第１の位置を占め、入力パネルがその第１の位置を占めるときに、入力パネルが表示パネルの一部を隠すように構成されている。装置はさらに、表示パネルがその第１の位置を占め、入力パネルがその第２の位置を占めるときに、表示パネルが入力パネルの少なくとも一部を隠すように構成されている。装置はさらに、表示パネルがその第２の位置を占めるときに、入力パネルが、その第１の位置からその第２の位置へ移動可能な状態、及びその第２の位置からその第１の位置へ移動可能な状態の少なくとも一方になるように構成されている。
【００１０】
装置は、２つの異なる状態においてコンパクト性を実現するという点において有利である。第１の状態において、表示パネルがその第１の位置を占め、入力パネルがその第１の位置を占めるときに、入力パネルは表示パネルの一部を隠す。これは、入力パネルを十分に使用することができ、表示パネルも使用することができるが、表示パネルの一部は入力パネルによって隠され、その状態における装置のサイズが、第２の状態における装置のサイズとおおむね同じであることを意味する。第２の状態において、表示パネルがその第１の位置を占め、入力パネルがその第２の位置を占めるときに、表示パネルは入力パネルの少なくとも一部を隠す。これは、入力パネルは使用することができず、又は十分に使用することができず、表示パネルは十分に使用することができ、その第２の状態における装置のサイズが第１の状態における装置のサイズとおおむね同じであることを意味する。
【００１１】
よって装置は、２つの状態の間で実質的なサイズの違いを伴わないその２つのうちの一方の状態で、例えばポケットなどに入れておくことができる。ユーザが２つの状態の一方を好む場合、ユーザは、好みの状態を選択したためにサイズが大きくなるという負担を負わずに、装置を好みの状態で自分のポケットに入れておくことができる。これは２つの状態がおおむね同じサイズだからである。
【００１２】
言い換えると、ユーザが（表示パネルがその第１の位置を占め、入力パネルがその第２の位置を占め、表示パネルが入力パネルの少なくとも一部を隠す）第２の状態に対応する全画面モードを好むにせよ、ユーザが（表示パネルがその第１の位置を占め、入力パネルがその第１の位置を占め、入力パネルが表示パネルの一部を隠す）第１の状態に対応する「部分画面及びキーパッド」モードで入力パネル（又はキーパッド）にアクセスできることを好むにせよ、サイズはおおむね同じである。マルチメディアの使用感及び使いやすさは、入力パネルによって形成される従来のキーパッドを使用する選択肢を排除せず、サイズ負担を増やさずに全画面モードを提供することにより向上する。
【００１３】
他の利点は、以下の説明及び図面を考察すれば明らかになるであろう。
【００１４】
一実施形態において、電子装置は、携帯電話、ゲームコンソール、携帯情報端末、衛星ナビゲーション受信機、ディジタルカメラ、ラップトップ、ノート型コンピュータ、メディアプレーヤ、メッセージングページャ、コードレス電話機、ビデオ記録装置、モバイル・インターネット・ブラウザ及びスマートフォンのうちの少なくとも１つである。
【００１５】
一実施形態において、装置はさらに、表示パネルがその第１の位置を占め、入力パネルがその第１の位置を占めるときに、入力パネルがその第２の位置へ移動することができず、表示パネルがその第１の位置を占め、入力パネルがその第２の位置を占めるときに、入力パネルがその第１の位置へ移動することができないように構成されている。
【００１６】
この実施形態では、表示パネルがその第１の位置を占めるときに、入力パネルのその第１及び第２の位置のどちらか一方から他方への移動は不可能である。これは、この実施形態では、表示パネルの第１の位置において、表示パネルの一部が、入力パネルの移動空間、即ち、入力パネルがその第１及び第２の位置のどちらか一方から他方へ移動するために確保された空間又はその空間の一部をふさぐからである。この特徴によりコンパクト性を実現することができる。
【００１７】
一実施形態において、装置はさらに、本体が、縦軸、縦軸に対して垂直な横軸、及び縦軸と横軸両方に対して垂直な垂直軸を定義するように構成されており、表示パネルは縦軸及び横軸の面内に表示部又は画面を含み、表示パネルは縦軸に沿って摺動可能である。これにより、表示パネルを手動で簡単に動かしてその第１の位置と第２の位置との間を移動させることができる。
【００１８】
この実施形態の下位実施形態において、装置はさらに、表示パネルがその第２の位置を占めるときに、入力パネルが垂直軸に沿って摺動可能であるように構成されている。
【００１９】
これにより、入力パネルがその第２の位置へ移動した後に、入力パネルを都合よく表示パネルの背後に隠し、又は少なくとも一部を隠すことができると共に、入力パネルがその第１の位置へ移動した後に、表示パネルの前に入力パネルを都合よく配置して表示パネルの一部を隠すこともできる。
【００２０】
一実施形態において、装置はさらに、入力パネルがその第２の位置を占めるときに表示パネルをその第１の位置からその第２の位置へ移動することにより、入力パネルのその第１の位置への移動が引き起こされるように構成されている。
【００２１】
これにより、装置のユーザがさらに別の操作を行わなくても、入力パネルをその第２の位置からその第１の位置へ移動させる間に、表示パネルをその第１の位置からその第２の位置へ、例えば手動で都合よく移動することができる。
【００２２】
一実施形態において、装置はさらに、入力パネルがその第１の位置を占めるときに表示パネルをその第１の位置からその第２の位置へ移動することにより、入力パネルのその第２の位置への移動が引き起こされるように構成されている。
【００２３】
これにより、ユーザがさらに別の操作を行わなくても、入力パネルをその第１の位置からその第２の位置へ移動させる間に、表示パネルをその第１の位置からその第２の位置へ、例えば手動で都合よく移動することができる。
【００２４】
一実施形態において、装置は、一方では、入力パネルがその第１の位置を占めるときに表示パネルをその第１の位置からその第２の位置への移動することにより、入力パネルをその第２の位置へ移動させ、他方では、入力パネルがその第２の位置を占めるときに表示パネルの同じ移動により、入力パネルをその第１の位置へ移動させるように構成されている。これにより装置を都合よく動作させることができる。
【００２５】
一実施形態において、装置はさらに、入力パネルを、その第１の位置からその第２の位置へ、その第２の位置からその第１の位置へ、又はその第１の位置からその第２の位置へとその第２の位置からその第１の位置への両方へ移動するためのモータ駆動機構を含む。言い換えると、装置は、入力パネルを、その第１の位置からその第２の位置へとその第２の位置からその第１の位置への少なくとも一方へ移動するためのモータ駆動機構を含む。これにより入力パネルを都合よく、制御可能に作動することができる。
【００２６】
そのようなモータ駆動機構を用いた実施形態において、装置は、モータ駆動機構が、モータによって生じる回転運動を入力パネルの直線運動へと変換するためのラック・アンド・ピニオン機構を含むようなものとすることができる。
【００２７】
これにより、入力パネルを、少なくともその第１の位置からその第２の位置へ、且つ／又はその第２の位置からその第１の位置へ移動するためのモータ駆動機構を都合よく実施することができる。この実施形態は、入力パネルを、その第１の位置からその第２の位置へ又はその第２の位置からその第１の位置へ、どちらでもモータによって作動させるように構成されていない方向に移動させるための弾性的手段と組み合わされてもよい。或いはモータは、モータによって適用されるトルクの方向に応じて、入力パネルを、その第１の位置からその第２の位置へとその第２の位置からその第１の位置へと移動させるために、時計回りと反時計回り両方に回転してトルクを生じさせることができてもよい。また、モータ駆動機構を実施するための複数のモータが設けられていてもよい。
【００２８】
一実施形態において、装置は、入力パネルを、その第１の位置からその第２の位置へとその第２の位置からその第１の位置への少なくとも一方に移動し、又はその移動を助長するための１つ又は複数の制御可能な磁石を含む。
【００２９】
一実施形態において、装置は、入力パネルを、その第１の位置からその第２の位置へとその第２の位置からその第１の位置への少なくとも一方に移動し、又はその移動を助長するための１つ又は複数の制御可能な形状記憶合金要素を含む。
【００３０】
一実施形態において、装置は、表示パネルがその第２の位置に移動されるときに、まず、入力パネルの第１の位置と第２の位置との中間の位置への入力パネルの位置の変更が生じるように、表示パネルが入力パネルに機械的に結合されているようなものである。
【００３１】
一実施形態において、装置は、入力パネルがその第１の位置を占めるか、それともその第２の位置を占めるか検出するように構成された１つ又は複数のセンサを含み、装置はさらに、１つ又は複数のセンサを使って入力パネルがその第２の位置を占めると判定される間に表示パネルがその第１の位置からその第２の位置へ移動されるときに、入力パネルのその第１の位置への移動が引き起こされ、１つ又は複数のセンサを使って入力パネルがその第１の位置を占めると判定される間に表示パネルがその第１の位置からその第２の位置へ移動されるときに、入力パネルのその第２の位置への移動が引き起こされるように構成されている。
【００３２】
一実施形態において、装置は、表示パネルが、表示パネルの上又は表示パネルの近傍における指、手又は他の物体の存在又は位置を検出することのできるタッチセンサ機能を含むようなものであり、装置はさらに、入力パネルがその第２の位置を占めると判定される間に表示パネルがその第１の位置からその第２の位置へ移動されるときに、入力パネルのその第１の位置への移動が引き起こされ、入力パネルがその第１の位置を占めると判定される間に表示パネルがその第１の位置からその第２の位置へ移動されるときに、入力パネルのその第２の位置への移動が引き起こされるように構成されている。この実施形態では、表示パネルの上又は表示パネルの近傍における指、手又は他の物体の存在又は位置を検出するのに使用されるのと同じタッチセンサ機能が、入力パネルがその第１の位置を占めるか、それともその第２の位置を占めるか判定するのにも使用される。
【図面の簡単な説明】
【００３３】
次に、本発明の実施形態を、添付の図と併せて説明する。
【００３４】
【図１ａ】本発明の一実施形態における電子装置の連続する状態を示す概略的側面図である。
【図１ｂ】本発明の一実施形態における電子装置の連続する状態を示す概略的側面図である。
【図１ｃ】本発明の一実施形態における電子装置の連続する状態を示す概略的側面図である。
【図１ｄ】本発明の一実施形態における電子装置の連続する状態を示す概略的側面図である。
【図２】本発明の一実施形態における電子装置のいくつかの要素を示す概略的分解組立図である。
【図３】図２に示す装置の表示パネルの詳細を概略的に示す図である。
【図４ａ】図２に示す装置の入力パネルの詳細を概略的に示す図である。
【図４ｂ】図２に示す装置においてその第１の位置を占める入力パネルとその第１の位置を占める表示パネルとを概略的に示す図である。
【図５ａ】図２に示す装置の本体内に形成されたベースフレームを概略的に示す図である。
【図５ｂ】図２に示す装置の本体内に形成されたベースフレームを概略的に示す図である。
【図６ａ】表示パネルがその第２の位置に到達している図２に示す装置の状態を概略的に示す図である。
【図６ｂ】表示パネルがその第２の位置に到達している図２に示す装置の状態を概略的に示す図である。
【図７ａ】入力パネルが下方へ移動し始めるときの図２に示す装置の構造要素の状態を概略的に示す図である。
【図７ｂ】入力パネルが下方へ移動し始めるときの図２に示す装置の構造要素の状態を概略的に示す図である。
【図７ｃ】入力パネルが下方へ移動し始めるときの図２に示す装置の構造要素の状態を概略的に示す図である。
【図８】図２に示す装置の入力パネルがその第２の位置に到達している状態を概略的に示す図である。
【図９】図２に示す装置の表示パネルが入力パネルの上方でその第１の位置に到達している状態を概略的に示す図である。
【図１０ａ】図２に示す装置の表示パネルのその第１の位置から第２の位置への移動を概略的に示す図である。
【図１０ｂ】図２に示す装置の表示パネルのその第１の位置から第２の位置への移動を概略的に示す図である。
【図１１ａ】図２に示す装置の入力パネルが移動し、その第１の位置に到達する様子を概略的に示す図である。
【図１１ｂ】図２に示す装置の入力パネルが移動し、その第１の位置に到達する様子を概略的に示す図である。
【図１２】図２に示す装置の表示パネルがその第１の位置へ戻った様子を概略的に示す図である。
【発明を実施するための形態】
【００３５】
次に本発明を具体的実施形態と併せて説明する。これらの具体的実施形態は当業者により適切な理解を提供するためのものであり、添付の特許請求の範囲によって定義される本発明の範囲を何ら限定するためのものではないことが理解されるであろう。
【００３６】
図１ａ〜図１ｄに、本発明の一実施形態における電子装置の連続する状態（ｓ１）〜（ｓ１３）を概略的に示す。これらの連続する状態は順次に発生するよう意図されている。
【００３７】
図１ａ、状態（ｓ１）には、電子装置の側面図が概略的に示されている。電子装置の本体１０の上に表示パネル１２が配置されている。表示パネル１２の上部に入力パネル１４が配置され、図示の装置を上から見るユーザ（不図示）に対して表示パネル１２の前面の一部を隠している。表示パネル１２は少なくとも１つの表示部を含む。表示部は例えば液晶ディスプレイ（ＬＣＤ）とすることができる。また表示部はタッチスクリーンとすることもできる。入力パネル１４は少なくとも１つの入力部を含む。入力部は例えばキーパッドやタッチパッドなどとすることができる。本体１０又はハウジングは、電気通信受信回路、電気通信送信回路、アンテナ、プリント基板組立品、電池などを搭載し得る。
【００３８】
状態（ｓ１）は「部分画面及びキーパッド」モードに対応する。表示パネル１２はその第１の位置を占め、入力パネル１４はその第１の位置を占め、表示パネル１２は入力パネル１４によって一部隠されている。入力パネル１４はこの状態ではその第２の位置の方へ移動することができない。表示パネル１２は入力パネル１４の移動空間をふさいでいる。
【００３９】
状態（ｓ２）で、表示パネル１２は、右向きの矢印で示すように、その第１の位置からその第２の位置の方へ移動している。入力パネル１４は、この表示パネル１２の移動中にはまだその第１の位置を占める。
【００４０】
状態（ｓ３）で、表示パネル１２はその第２の位置に到達している。入力パネル１４はまだその第１の位置を占めるが、入力パネル１４は、その第２の位置の方へ移動し、又は移動されることが可能な状態にある。
【００４１】
状態（ｓ４）で、入力パネル１４は、下向きの矢印で示すように、その第２の位置に向かって下方に移動している。この入力パネル１４の移動中には、表示パネル１２はその第２の位置に留まる。
【００４２】
次に図１ｂを見ると、状態（ｓ５）で、入力パネル１４はその第２の位置に到達しており、表示パネル１２はまだその第２の位置を占める。しかし表示パネル１２はその第１の位置の方へ戻ることが可能な状態にある。
【００４３】
状態（ｓ６）で、表示パネル１２は、左向きの矢印で示すように、その第１の位置の方へ移動している。入力パネル１４はその第２の位置を占め、そこに留まる。
【００４４】
状態（ｓ７）で、表示パネル１２はその第１の位置に到達している。よって表示パネル１２は、図１ｂの上から装置を見るユーザに対して、その第２の位置を占める入力パネル１４を隠している。この状態（ｓ７）は全画面モードに対応する。入力パネル１４はこの状態ではその第１の位置の方へ移動することができない。表示パネル１２は入力パネル１４の移動空間をふさいでいる。
【００４５】
図１ｂ、状態（ｓ７）には、全画面モードにおいて、表示パネル１２が入力パネル１４を、より正確には入力パネル１４の上表面を完全に隠す実施形態が示されているが、表示パネル１２が入力パネル１４の一部だけを隠す実施形態も本発明の範囲内に含まれる。
【００４６】
図１ａ及び図１ｂの状態（ｓ１）〜状態（ｓ７）は、「部分画面及びキーパッド」モードから「全画面」モードへの遷移を概略的に示している。次に、「全画面」モードから「部分画面及びキーパッド」モードへの遷移を、図１ｃ及び図１ｄに示す状態（ｓ７）〜状態（ｓ１３）を参照して説明する。
【００４７】
図１ｃの状態（ｓ７）は図１ｂを参照して説明したのと同じ状態、即ち全画面モードに対応する。状態（ｓ８）で、表示パネル１２は、右向きの矢印で示すように、その第１の位置からその第２の位置の方へ移動している。入力パネル１４は、このステップの間は、その第２の位置を占める。
【００４８】
状態（ｓ９）で、表示パネル１２はその第２の位置に到達している。入力パネル１４は、まだその第２の位置を占め、その第１の位置の方へ戻ることが可能な状態にある。
【００４９】
状態（ｓ１０）で、入力パネル１４は、上向きの矢印で示すように、その第２の位置からその第１の位置の方へ移動している。このステップの間は、表示パネル１２はその第２の位置に留まる。
【００５０】
次に図１ｄを見ると、状態（ｓ１１）で、入力パネル１４はその第１の位置に到達している。表示パネル１２はまだその第２の位置にあるが、その第１の位置の方へ戻ることが可能な状態にある。
【００５１】
状態（ｓ１２）で、表示パネル１２は、左向きの矢印で示すように、その第２の位置からその第１の位置の方へ移動している。このステップの間は、入力パネル１４はその第１の位置に留まる。
【００５２】
次いで状態（ｓ１３）で、表示パネル１２はその第１の位置に到達しており、入力パネル１４はその第１の位置を占める。状態（ｓ１３）は、「部分画面及びキーパッド」モードである図１ａに示す状態（ｓ１）に対応する。
【００５３】
図１ａ〜図１ｄに示す実施形態では、表示パネル１２は、その遠位端（即ち、各図の右側にある端部）の厚さがその中央部及び近位端（即ち、各図の左側）の厚さより大きいものとして示されている。また本体１０も、装置の遠位端に凹部を有するものとして示されている。しかしこれらの特徴は任意選択である。即ち、一実施形態では、表示パネル１２の厚さはその長手に沿って一定、又はおおむね一定であり、本体１０の遠位端（即ち、各図の右側）には凹部が設けられていない。
【００５４】
次に、図２〜図１２を参照して、入力パネル１４が、モータ駆動機構を使って、その第１の位置からその第２の位置へ、且つ／又はその第２の位置からその第１の位置へ移動されるように構成されている実施形態を説明する。この実施形態では、表示パネル１２の移動は、手動で行われてもよく、或いはモータ駆動機構によって作動されてもよい。
【００５５】
図２に、前述のモータ駆動の実施形態における電子装置のいくつかの要素の分解組立図を概略的に示す。本体１０（図２には示されていない）にベースフレーム１６が固定して連結されている。表示パネル１２はベースフレーム１６に対して摺動自在である。また入力パネル１４（本明細書ではキーパッドパネル１４ともいう）もベースフレーム１６に対して、表示パネル１２が移動可能な方向に対して垂直な方向に動かすことができる。
【００５６】
表示パネル１２とベースフレーム１６とは、図５ｂに示すように、ベースフレーム１６の内面に設けられたセンサ３０と、表示パネル１２の側面に設けられた要素２８とを含む感知アセンブリを備える。要素２８は、要素２８とセンサ３０とが向かい合うときに、センサ３０による検出が可能である。要素２８は例えば磁石などとすることができる。センサ３０が要素２８を検出するとき、これは表示パネル１２がその第２の位置を占めることを表す。感知アセンブリは、表示パネル１２の第２の位置が感知アセンブリによって検出され得る限りにおいて、異なった配置とされてもよく、どんな電子要素又は電磁要素によって構成されていてもよい。
【００５７】
歯の付いた平板な要素２０が入力パネル１４の表面に対して垂直に延在する。平板な要素２０を本明細書ではラック２０と呼ぶ。本明細書でピニオン１８と呼ぶ円形歯車１８がラック２０の歯と係合する。ピニオン１８はモータによって駆動される。ピニオン１８とモータとは、ベースフレーム１６に固定して連結されている。ピニオン１８の回転はラック２０によって入力パネル１４の並進運動へと変換される。ピニオン１８を駆動するモータは、表示パネル１２がその第２の位置を占めることをセンサ３０が検出したときに作動される。
【００５８】
センサ３０からモータにコマンドを送信するための制御部（不図示）が設けられていてもよい。制御部は、ハードウェア、ソフトウェア、フィールド・プログラマブル・ゲート・アレイ（ＦＰＧＡ）、特定用途向け集積回路（ＡＳＩＣ）、ファームウェアなどとして実施することができる。
【００５９】
ベースフレーム１６の各側面に１つずつ、２つのモータが設けられていてもよい。或いは、ただ１つのモータ又は３つ以上のモータが設けられていてもよい。１つ又は複数のモータは、入力パネル１４を下方に移動するのに適する任意のやり方で配置することができる。
【００６０】
また、４つの平板な要素２４も入力パネル１４に対して垂直に延在している。平板な各要素２４の端部にはガイドピン２２が設けられている。ガイドピン２２は、ベースフレーム１６内に設けられた溝２６の内側を移動することができる。これにより入力パネル１４は、その第１の位置からその第２の位置へ、また逆に第２の位置から第１の位置へ安定して移動することができる。
【００６１】
図３に、ベースフレーム１６の内部制御を受けるセンサ要素３０による検出が可能な要素２８を備える表示パネル１２を概略的に示す。
【００６２】
図４ａに入力パネル１４を概略的に示す。２つのラック２０と４つの平板な要素２４とが入力パネル１４の表面に対して垂直に延在している。４つの平板な要素２４のそれぞれの端部にはガイドピン２２が設けられている（図４ａには示されていない）。
【００６３】
図４ｂに、その第１の位置を占める入力パネル１４と、その第１の位置を占める表示パネル１２とを概略的に示す。表示パネル１２は入力パネル１４の下に隠されている。また、ピニオン１８がラック２０の歯とどのようにして係合するかも示されている。
【００６４】
図５ａ及び図５ｂに、装置の本体１０に固定して連結されたベースフレーム１６を概略的に示す。ベースフレーム１６は入力パネル１４のガイドピン２２を受けるための４つの溝２６を含む。前述のように、図５ｂにはセンサ３０も示されている。
【００６５】
図６ａに、入力パネル１４がまだその第１の位置を占める間に、（図６ａに矢印で示すように）その第１の位置から移動した後で（図１ａの状態（ｓ３）に対応する）その第２の位置に到達している表示パネル１２を概略的に示す。この時点で、センサ３０は図６ｂに示すように要素２８を検出し、ピニオン１８に結合された回転モータが作動される。
【００６６】
図７ａ、図７ｂ及び図７ｃにモータが作動されるときの装置の構造要素の図が示されている。特に、図７ｃの矢印は、ラック２０及び入力パネル１４を下方へ引くために、ベースフレーム１６のこの特定の側面のモータが作動されてピニオン１８を時計回りに回転させることを概略的に示すものである。
【００６７】
図８に、入力パネル１４が（下向きの矢印で示すように）その第１の位置からその第２の位置へ移動し、その第２の位置に到達している状態を概略的に示す。この状態は図１ｂの状態（ｓ５）に対応する。表示パネル１２は、この段階では、その第２の位置からその第１の位置へ戻るのに十分な空間を有する。
【００６８】
図９に表示パネル１２がその第２の位置からその第１の位置へ移動し、その第２の位置に到達している状態が概略的に示されている。矢印は表示パネル１２のその第２の位置からその第１の位置への移動を示す。この状態は図１ｂの状態（ｓ７）、即ち全画面モードに対応する。この段階では、入力パネル１４は表示パネル１２の下に隠されている。
【００６９】
図１０ａに、（図１０ａの矢印で示す）表示パネル１２のその第１の位置から第２の位置への引き出し移動を概略的に示す。特に、表示パネル１２は、図１０ａに示す状態ではその第２の位置に到達しており、これは図１ｃの状態（ｓ９）に対応する。この時点で、図１０ｂに示すように、センサ要素３０は要素２８を検出し、モータが作動されて入力パネル１４を上方に駆動する。
【００７０】
図１１ｂの矢印は、モータによって駆動され、ラック２０及び入力パネル１４を上方に駆動するピニオン１８の反時計回りの回転を示す。この移動の終わりに、入力パネル１４は、図１１ａに概略的に示すように、その第１の位置に到達する。この状態は図１ｄの状態（ｓ１１）に対応する。
【００７１】
最後に図１２に、その第１の位置に戻っており、その時に一部が入力パネル１４の下にある表示パネル１２を概略的に示す。表示パネル１２は入力パネル１４の移動空間をふさいでいる。この状態は図１ｄの状態（ｓ１３）に対応する。
【００７２】
前述の実施形態のいずれか１つと組み合わされ得る一実施形態において、表示パネル１２はさらに、表示部の周りにタッチキー（不図示）を含んでいてもよく、このタッチキーは両モード（「全画面」モードと「キーパッド及び部分画面」モード）で使用できてもよく、全画面モードだけで使用できてもよい。
【００７３】
前述の実施形態のいずれか１つと組み合わされ得る一実施形態において、表示パネル１２がその第２の位置を占める状態は、電子装置の第３の使用可能な構成を提供する。即ち、表示パネル１２は全部を使用することができ、入力パネル１４も全部を使用することができる。
【００７４】
一実施形態において、（図２〜図１２を参照して説明した）モータ駆動の実施形態におけるセンサ３０は、要素２８によって発生する磁界を検出するためのセンサである。センサ３０は例えば、「ＮＥＣ，  Ｄａｔａ  Ｓｈｅｅｔ，  ＭＲＭＳ５０１Ａ，  “Ｌｏｗ  ｖｏｌｔａｇｅ  ｏｐｅｒａｔｉｏｎ  ｔｙｐｅ  Ｂｕｉｌｔ−ｉｎ  ＩＣ  ｕｌｔｒａ−ｓｍａｌｌ  ＭＲ  ｓｅｎｓｏｒ”，  Ｎｏ．  ＭＲ−０５０１  Ａ−Ｅ−０２，  Ｄａｔｅ  ｏｆ  Ｉｓｓｕｅ：  Ａｐｒ．２００８」に記載されている、日本電気株式会社（ＮＥＣ  Ｃｏｒｐｏｒａｔｉｏｎ）製の磁気抵抗（ＭＲ）センサとすることができる。
【００７５】
一実施形態において、（図２〜図１２を参照して説明した）モータ駆動の実施形態におけるセンサ３０は、（１つ又は複数の）モータに適切なコマンドを与えるための信号をモータコントローラ（不図示）に送るように構成されている。（１つ又は複数の）モータは、時計回りと反時計回りとに動作するステップモータとすることができる。本発明のいくつかの実施形態に使用され得るモータコントローラの例には以下のデータシートに記載されているものが含まれる。（ｉ）ＳＴＭｉｃｒｏｅｌｅｃｔｒｏｎｉｃｓ，  Ｌ２９７，  “Ｓｔｅｐｐｅｒ  Ｍｏｔｏｒ  Ｃｏｎｔｒｏｌｌｅｒｓ”，  Ｄｅｃｅｍｂｅｒ  ２００１、（ｉｉ）ＳＧＳ−Ｔｈｏｍｓｏｎ  Ｍｉｃｒｏｅｌｅｃｔｒｏｎｉｃｓ，  Ｌ２９７，  Ｌ２９７Ｄ，  “Ｓｔｅｐｐｅｒ  Ｍｏｔｏｒ  Ｃｏｎｔｒｏｌｌｅｒｓ，  Ａｕｇｕｓｔ  １９９６、及び（ｉｉｉ）ＲＳ  Ｃｏｍｐｏｎｅｎｔｓ，  ”Ｓｔｅｐｐｅｒ  Ｍｏｔｏｒ  ｄｒｉｖｅｒ  ＩＣ  ＳＡＡ  １０２７“，  Ｄａｔａ  Ｐａｃｋ  Ｊ，  Ｉｓｓｕｅｄ  Ｍａｒｃｈ  １９９７  ２３２−２６９９，  ＲＳ  ｓｔｏｃｋ  ｎｕｍｂｅｒ  ３００−２３７。
【００７６】
図２〜図１２（モータ駆動の実施形態）を参照して説明したモータは、両方向に回転することができ、約２Ｖ〜４Ｖの低電圧で動作することができ、電子装置内に収まるのに十分なほど小型であるマイクロＤＣサーボモータという特性を有し得る。適切なモータは、例えば、米国フロリダ州クリアウォーターのＭｉｃｒｏＭｏ  Ｅｌｅｃｔｒｏｎｉｃｓ，  Ｉｎｃ．などにより製造されている。
【００７７】
一実施形態においては、モータ駆動機構を使用するのではなく、又はそのような機構を使用することに加えて、その位置又は形状を制御することのできる１つ若しくは複数の制御可能な磁石及び／又は１つ若しくは複数の機械的要素を使用して、入力パネル１４がその第１の位置からその第２の位置へ、且つ／又はその第２の位置からその第１の位置へ移動され、又はその移動が助長され得る。
【００７８】
例えば、適切なサイズを有する電磁石などの１つ又は複数の制御可能な磁石が作動されて、入力パネル１４をその第１の位置からその第２の位置へ移動させ（又はこの移動を実行することを助長し）てもよい。また、１つ又は複数の制御可能な磁石が作動されて、入力パネル１４をその第２の位置からその第１の位置へ移動させ（又はこの移動を実行することを助長し）てもよい。１つ又は複数の制御可能な磁石の作動は、表示パネル１２がその第２の位置に移動され次第（即ち、図１ａ〜図１ｄに示すステップ（ｓ３）〜ステップ（ｓ４）又はステップ（ｓ９）〜ステップ（ｓ１０）に対応するときに）行われてもよい。
【００７９】
その位置又は形状を制御することのできる機械的要素には形状記憶合金でできている要素が含まれる。これらの要素は例えば、［１］２０１０年４月１６日にｈｔｔｐ：／／ｅｎ．ｗｉｋｉｐｅｄｉａ．ｏｒｇ／ｗ／ｉｎｄｅｘ．ｐｈｐ？ｔｉｔｌｅ＝Ｓｈａｐｅ＿ｍｅｍｏｒｙ＿ａｉｌｏｙ＆ｏｌｄｉｄ＝３５６０２２２０６にアクセスして得た２０１０年４月１４日付けのＷｉｋｉｐｅｄｉａの「Ｓｈａｐｅ  ｍｅｍｏｒｙ  ａｌｌｏｙ」や、［２］２０１０年４月１６日にｈｔｔｐ：／／ｗｗｗ．ｓｔａｎｆｏｒｄ．ｅｄｕ／〜ｒｉｃｈｌｉｎｌ／ｓｍａ／ｓｍａ．ｈｔｍｌにアクセスして得たＲｉｃｈａｒｄ  Ｌｉｎ著の「Ｓｈａｐｅ  Ｍｅｍｏｒｙ  Ａｌｌｏｙｓ  ａｎｄ  Ｔｈｅｉｒ  Ａｐｐｌｉｃａｔｉｏｎｓ」などに記載されている。そのような機械的要素は、電流又は電磁界により、その形状が入力パネル１４に力を及ぼすように変化するように制御することができる。
【００８０】
入力パネル１４をその第１の位置からその第２の位置へ、且つ／又はその第２の位置からその第１の位置へ移動し、又はその移動を助長するために、力を及ぼすことができ、適切なサイズを有する、油圧装置や空気圧装置といった他の作動手段が使用されてもよい。
【００８１】
制御可能な磁石、又はその位置若しくは形状を制御することのできる機械的要素（形状記憶合金でできている要素など）を、表示パネル１２がその第２の位置まで移動された後に、それらが正しい方向で入力パネル１４に力を及ぼすように作動するために、適切なサイズを有する、近接センサや光センサといった１つ又は複数のセンサを使って、入力パネル１４の初期位置が検出されてもよい。適切なセンサの例には以下が含まれる。［３］“Ｓｕｂｍｉｎｉａｔｕｒｅ  Ｈｉｇｈ  Ｓｅｎｓｉｔｉｖｉｔｙ  Ｐｈｏｔｏ  Ｉｎｔｅｒｒｕｐｔｅｒ，  ＩＴＲ８３０７”，Ｈ−３３〜Ｈ−３７ページ（台湾国台北、億光電子工業（Ｅｖｅｒｌｉｇｈｔ）から入手可能）、又は［４］“Ｕｌｔｒａ−Ｃｏｍｐａｃｔ  Ｓｕｒｆａｃｅ−Ｍｏｕｎｔ  Ｐｈｏｔｏｉｎｔｅｒｒｕｐｔｅｒ，  ＴＬＰ８４８”，  Ｎｅｗ  Ｐｒｏｄｕｃｔ  Ｇｕｉｄｅ  Ｎｅｗｓ，  ２００６−０４  ＤＱ，  Ｔｏｓｈｉｂａ（日本国東京、東芝から入手可能）。
【００８２】
しかし、（前述のように、制御可能な磁石、又はその位置若しくは形状を制御することのできる機械的要素を、表示パネル１２がその第２の位置まで移動された後に、それらが正しい方向で入力パネル１４に力を及ぼすように作動させるための）入力パネル１４の初期位置の検出は、前述のような近接センサや光センサといった１つ又は複数のセンサの使用だけに限定されない。一実施形態においては、この検出を実行するのに専用のセンサは使用されない。したがって、必要な電子構成部品数がより少なくて済み、電池電力及びスペースが節約され、装置がより簡略化される。
【００８３】
この実施形態では、表示パネル１２はタッチパネル（タッチスクリーンともいう）であり、タッチパネル上の指、手、スタイラス又は他の物体の位置を検出するのに使用されるのと同じ手段が、入力パネル１４がその第１の位置を占めるか、それともその第２の位置を占めるかを判定するのにも使用される。
【００８４】
入力パネル１４がその第１の位置を占める場合、入力パネル１４は表示パネル１２の上部に配置され、表示パネル１２の前面の一部を隠す。例えば、タッチパネル（タッチスクリーン）が、タッチパネル上の（又はその近傍における）ユーザの指、手又は他の物体の存在によって生じるキャパシタンスの変化に反応することにより働く場合には、その空間における入力パネル１４の存在によって生じる表示パネル１２上方の空間の誘電性特性の変化により、表示パネル１２の上部に入力パネル１４が紛れもなく存在することを検出することができる。
【００８５】
これに対して、入力パネル１４がその第２の位置を占める場合、入力パネル１４は表示パネル１２の背後に配置され、入力パネル１４は表示パネル１２の前面を隠さない。タッチパネル（タッチスクリーン）が、タッチパネル上の（又はその近傍における）ユーザの指の存在によって生じるキャパシタンスの変化に反応することにより働く場合には、表示パネル１２の背後の入力パネル１４の位置は、表示パネル１２上方の空間の誘電性特性を変化させない。この表示パネル１２上方の空間の誘電性特性に変化がないことは、入力パネル１４がその第２の位置を占めることを意味するものと解釈することができる。
【００８６】
表示パネル１２のタッチセンサ機能の出力に対して入力パネル１４がその第１の位置に存在することが及ぼす正確な影響は、適切な試験及び較正によって評価することができ、それによって入力パネル１４の位置が動作に際して適正に区別される。
【００８７】
一実施形態において、表示パネル１２は、表示パネル１２がその第２の位置に移動されるときに、まず、入力パネル１４の第１の位置と第２の位置との中間の位置への入力パネル１４の位置の変更が生じるように入力パネル１４に機械的に結合されている。入力パネル１４が中間の位置に到達したときに、（前述のような）１つ又は複数のセンサによって検出されるように、表示パネル１２の移動の前に、制御可能な磁石（又は前述のような類似の作動手段）を入力パネル１４の初期位置に応じて特定の方向に作動させることができ、検出の結果はメモリに記憶される。この制御可能な磁石（又は前述のような類似の作動手段）の特定の方向での作動は、表示パネル１２がその第１の位置の方へ戻されるときに、表示パネル１２がその第１の位置又はその第２の位置にある入力パネル１４を押すのに十分な比較的小さい入力パネル１４の移動を生じさせることができる。この実施形態では、制御可能な磁石（又は前述のような類似の作動手段）によって加えられる力は比較的小さくて済み、よって消費エネルギーが低減される。
【００８８】
以上、本発明を詳細な例に基づいて説明したが、これらの詳細な例は当業者により適切な理解を提供するためのものにすぎず、本発明の範囲を限定するためのものではない。本発明の範囲は、こうした例ではなく添付の特許請求の範囲によって定義されるものである。
【図１ａ】
0005417528.tif 000002
【図１ｂ】
0005417528.tif 000003
【図１ｃ】
0005417528.tif 000004
【図１ｄ】
0005417528.tif 000005
【図２】
0005417528.tif 000006
【図３】
0005417528.tif 000007
【図４ａ】
0005417528.tif 000008
【図４ｂ】
0005417528.tif 000009
【図５ａ】
0005417528.tif 000010
【図５ｂ】
0005417528.tif 000011
【図６ａ】
0005417528.tif 000012
【図６ｂ】
0005417528.tif 000013
【図７ａ】
0005417528.tif 000014
【図７ｂ】
0005417528.tif 000015
【図７ｃ】
0005417528.tif 000016
【図８】
0005417528.tif 000017
【図９】
0005417528.tif 000018
【図１０ａ】
0005417528.tif 000019
【図１０ｂ】
0005417528.tif 000020
【図１１ａ】
0005417528.tif 000021
【図１１ｂ】
0005417528.tif 000022
【図１２】
0005417528.tif 000023